(57)【要約】瓶を収容するカートンが上部閉鎖部材（２０）を備える。上部閉鎖部材（２０）は、それぞれ瓶の首を収容する複数のアパーチャ（５６）を備える。少なくとも１つのアパーチャ（５６）は、短いスリット３７の少なくとも１つのグループを有する分裂機構を備える。短いスリット３７は、お互いにオフセットされ、瓶の除去が、前記分裂機構を破壊して、１つのアパーチャ（５６）を拡張させる。
2007532436.tif 000002
【特許請求の範囲】
【請求項１】
上部が開いたコンテナ（１０）の上部を閉じるための上部閉鎖パネル（２０）であって、そのパネルはコンテナ（５６）内部に保持される品物の一部分をそれぞれ受容するために少なくとも１つの開口を持ち、また、そのまたはそれぞれの開口の大きさを拡張するための分裂機構（３７）を持ち、その分裂機構はスリットの少なくとも１つの分離したグループを有し、前記そのまたはそれぞれのグループのスリットが仮想的な放射状ラインに対し実質的に垂直に前記開口から放射状に伸びている上部閉鎖パネルにおいて、前記グループにおける各スリット間の関係は、前記開口を介した品物の除去が放射状に連続したスリット間に分裂の伝播をもたらすようなものであり、仮想的な放射状ラインに沿って、またはそのラインに対して発散するように前記分裂を伝播させ、それによって前記開口の大きさを次第に増大させることを特徴とする上部閉鎖パネル。
【請求項２】
前記開口は、前記開口と、そのまたはそれぞれのスリットのグループとの間に配置された前記パネルの分裂を開始するための手段を有することを特徴とする請求項１に記載の上部閉鎖パネル。
【請求項３】
前記開始手段は仮想的な放射状ライン上に実質的に配置された切断ラインを有することを特徴とする請求項２に記載の上部閉鎖パネル。
【請求項４】
そのまたはそれぞれのスリットのグループは少なくとも２つのスリットを有し、その状況で、前記開口から最も遠いスリットは前記開口に最も近い分割ライン(score line)より長いことを特徴とする請求項１に記載の上部閉鎖パネル。
【請求項５】
スリットのそのまたはそれぞれの分離したグループは、前記開口に最も近いスリットが前記開口からさらに隔てられた少なくとも２つのスリットと重なる関係にあるように、同心円状に整列した５つのスリットを有することを特徴とする請求項１から４のいずれか１項に記載の上部閉鎖パネル。
【請求項６】
１つのスリットの終端は、隣接したスリットの終端から１ｍｍから５ｍｍの範囲で隔てられることを特徴とする請求項１から５のいずれか１項に記載の上部閉鎖パネル。
【請求項７】
前記上部閉鎖パネルが、該上部閉鎖パネルにより提供された保持手段（２８，９２）によって上部開放コンテナから完全に解放されることを防止され、その状況で、前記保持手段（７６）が、保持手段を前記上部開放コンテナ内に補完的に係合するように適合されることを特徴とする請求項１から６のいずれか１項に記載の上部閉鎖パネル。
【請求項８】
前記各スリットは実質的に等しい長さものであることを特徴とする請求項１から７のいずれか１項に記載の上部閉鎖パネル。
【請求項９】
前記開口から最も遠い前記スリットは、前記開口に最も近いスリットより大きいことを特徴とする請求項７に記載の上部閉鎖パネル。
【請求項１０】
上部開放コンテナ（１０）の上部を閉じる上部閉鎖パネル（２０）を形成するための半加工品であって、前記パネルはコンテナ（５６）内部に保持される品物の一部分をそれぞれ受容するために少なくとも１つの開口を持ち、また、そのまたはそれぞれの開口の大きさを拡張するための分裂機構（３７）を持ち、その分裂機構はスリットの少なくとも１つの分離したグループを有し、前記スリットが仮想的な放射状ラインに対し実質的に垂直に前記開口から放射状に伸びている半加工品において、前記グループにおける各スリット間の関係は、前記開口を介した品物の除去が仮想的な放射状ラインから放射状に連続したスリット間に発散して分裂の伝播をもたらすようなものであり、それによって前記開口の大きさを次第に増大させることを特徴とする半加工品。
【請求項１１】
そのまたはそれぞれのスリットのグループは少なくとも２つのスリットを有し、その状況で、前記開口から最も遠い前記スリットは、前記開口に最も近いスリットより長いことを特徴とする請求項１０に記載の上部閉鎖パネルを形成するための半加工品。
【請求項１２】
前記分裂機構は、前記開口のエッジからスリットのグループの方に垂直に伸びる開始手段を有することを特徴とする請求項１０または１１に記載の半加工品。
【請求項１３】
請求項１から９のいずれか１項に記載の上部閉鎖パネルを形成するための半加工品。
【請求項１４】
前記開始手段は、前記開口に最も近いスリットの中央に実質的に向かう仮想的な放射状ラインに沿って放射状に伸びる切断ラインを有することを特徴とする請求項３に記載の上部閉鎖パネル。
【発明の詳細な説明】
【技術分野】
【０００１】
本発明は、瓶のような複数の類似の品物を収容するカートン、およびカートン内に瓶を保持するための手段、また特に、品物にアクセスする手段に関する。
【背景技術】
【０００２】
多数の品物を包むためのカートンは、清涼飲料または他の飲物のような個別の品物の必要な量を消費者が獲得でき、運搬できるようにするのに役立つ。このようなカートンは、特に品物が瓶であるならば、多数の品物を保持するのに十分強いことが必要である。このようなカートンは扱いが容易で携帯できることも望ましい。
【０００３】
カートンの中に収容される品物を見られるようにし、またそのカートンも広告図画が印刷できる大きな領域を備えることは、しばしば望ましい。その品物に容易にアクセス可能（近付くことが可能）であることもしばしば望ましく、また、特にその品物が例えばグラスや瓶などの壊れやすいものの場合は、その品物がカートン内の場所に安全に保持されることもまた好ましい。しかしながら、品物が、例えば購入される前にあまりにも容易にアクセスできてしまうことは望ましくない。
【０００４】
また、品物の内容物が消費された後に、リサイクルの場所に空の品物を返すのに使うことのできるカートンを備えることも望ましい。
【発明の開示】
【発明が解決しようとする課題】
【０００５】
本発明は、品物または品物の一部分を表示するための手段を、品物の除去のためのアクセス手段と組み合わせて提供し、かつそのアクセス手段が、リサイクル場所への返却の目的で品物を交換するのに十分な完全性をカートンに残すようにすることである。
【課題を解決するための手段】
【０００６】
本発明の第１の局面によるのは、上部が開いたコンテナの上部を閉じるための上部閉鎖パネルであって、そのパネルはコンテナ内部に保持される品物の一部分をそれぞれ受容するために少なくとも１つの開口（アパーチャ）を持ち、また、そのまたはそれぞれの開口の大きさを拡張するための分裂機構を含み、その分裂機構は短いスリットの少なくとも１つの分離したグループを有し、前記短いスリットが、前記開口から放射状に伸び、かつ仮想的な放射状ラインに対し実質的に垂直に配列され、その結果前記開口を介した品物の除去が仮想的な放射状ラインから発散するように前記分裂を伝播（増殖）させ、それによって前記開口の大きさを次第に増大させる。
【０００７】
好ましくは、そのまたはそれぞれの短いスリットのグループは、少なくとも２つの短いスリットを有し、その状況で、開口から最も遠い短いスリットは開口に最も近い短いスリットより長い。
【０００８】
好ましくは、同心の短いスリットのそのまたはそれぞれの分離したグループは、開口に最も近い短いスリットが開口からさらに隔てられた少なくとも２つの短いスリットと重なる関係にあるように配置された、５つの短いスリットを有する。
【０００９】
好ましくは、１つの短いスリットの終端は、隣接したスリットの終端から、１ｍｍから５ｍｍの範囲で隔てられる。
【００１０】
さらに上部閉鎖パネルは、上部開放コンテナによって提供された保持手段によって上部開放コンテナから完全に解放されることを防止される。
【００１１】
好ましくは、仮想的な放射状ライン上に実質的に配置された開始切り込みを有することができる。その短いスリットは、実質的に等しい長さとすることもできる。
【００１２】
好ましくは、開口から最も遠い短いスリットは、開口に最も近い短いスリットより大きい。
【００１３】
本発明の第２の局面によるのは、上部開放コンテナの上部を閉じる上部閉鎖パネルを形成するためのブランク(blank 半加工品、または展開体、または生地)であって、使用時に前記パネルはコンテナ内部に保持される品物の一部分をそれぞれ受容するために少なくとも１つの開口を持ち、また、そのまたはそれぞれの開口の大きさを拡張するための分裂機構を含み、その分裂機構は短いスリットの少なくとも１つの分離したグループを有し、前記短いスリットが、仮想的な放射状ラインに対し実質的に垂直に配列され、その結果前記開口を介した品物の除去が仮想的な放射状ラインから発散するように分裂の伝播をもたらすようなものであり、それによって前記開口の大きさを次第に増大させる。
【００１４】
好ましくは、そのまたはそれぞれの短いスリットのグループは少なくとも２つの短いスリットを有し、その状況で、開口から最も遠い短いスリットは、開口に最も近い短いスリットより長い。
【００１５】
さらに分裂機構は、開口のエッジから短いスリットのグループの方に垂直に伸びる開始手段を有することができる。
【発明を実施するための最良の形態】
【００１６】
さて、本発明の模範的な実施形態を、専ら例として添付の図面を参照しながら、説明する。
【００１７】
図１および図２は、板紙または類似の折りたたみ式のシート材料から作られた、カートン３０を形成するための２部分のブランクにおける第１および第２の部分を示す。本発明の範囲を逸脱することなく、単一のブランクを代わりに使える、ということが想定される。本発明の第１の実施形態では、図１および図２に示す２つのブランク１０および２０は、筒状のクレート(crate：枠箱)とカバーにそれぞれ形成される。上記カバーは、図１Ｃに示すように第１の実施形態のカートン３０を形成する筒状のクレートに挿入される。
【００１８】
本発明に対する少数の変形は、例えば当技術分野で知られているクラッシュする(crash：つぶす)底のタイプの底を成すことができ、本発明の範囲を逸脱することなく使用できる、ということが想定される。本発明は、瓶のような類似する品物を収容するよう設計されるが、本発明の範囲を逸脱することなく、他の品物を収容するのに本発明を利用することが想定される。
【００１９】
筒状のクレートを形成するためのブランク１０を図１に示す。このブランク１０は第１および第２のサイドパネル１２、１６、前および後パネル１４、１８、また折り目ライン４２ａ、４２ｂ、４４ａ、４４ｂ、４６ａ、４６ｂ、４８ａ、および４８ｂのそれぞれに沿って順に一つ一つに揺動可能に取り付けたコーナーパネル９０を有する。のり付けフラップ８８(glue flap)は、後パネル１８を第１の側壁１２に固定するために提供され、この実施形態では、凹部がのり付けフラップ８８の端部の方に提供される。
【００２０】
ハンドルアパーチャ５４(handle apertures)が第１および第２の側壁１２、１６から切り取られ、フィンガーグリッピングタブ５８(finger gripping tab：指つかみタブ)が提供される。フィンガーグリッピングタブ５８はハンドルアパーチャ５４の上方エッジから内方に突き出ている。フィンガータブは、立てられたカートンを容易に握れるようにし、ハンドルアパーチャ５４によって持ち上げられるようにする。上端部フラップ７６(Top end flap)は、前、後、およびコーナーのパネル１４、１８、および９０のそれぞれに揺動可能に取り付けられ、ブランク１０が筒状のクレートに立てられる時に、前、後、およびコーナーのパネル１４、１８、および９０の上端部補強を提供する。
【００２１】
ブランク１０から筒状のクレートを組み立てることに移り、一連の連続的な折り畳み、およびのり付け作業が必要であり、それは好ましくは、連続ライン機器で行うことができ、クレートおよび／またはブランク１０は組み立てを完了するために回転または裏返すことが不要である。折り畳みプロセスは以下で説明することに限定されず、特定の製造要求に応じて変更できる。
【００２２】
最初の段階は、のり付けフラップ８８の外側エッジにのりを塗布し、次にそれを、内側のコーナーパネル９０に関係して接触する平面に位置するように、折り目ライン４８で１８０°折リたたむことである。次に、前パネル１４は、第２のサイドパネル１６の内側の面の上で平らになるように、折り目ライン４４ｂで折られる。これが、第１のサイドパネル１２を、後パネル１８およびのり付けフラップ８８ののり付けされた外側のエッジと平面接触関係にさせ、第１のサイドパネル１２がのり付けフラップ８８に貼り付けられて第１のサイドパネル１２と後パネル１８が接続される。そしてブランク１０を筒状の構造に立てることができ、そして折り畳みとのり付けの類似のステップを利用して底面フラップ７２、７４が固定されて底面端部閉鎖手段を形成する。
【００２３】
図２に示す第２のブランク２０は、図１のブランク１０から形成された筒状のクレートのためのカバーとして形成できる。ブランク２０はメインパネル２２を有し、該メインパネル２２は、どちらかの側において内側ハンドルパネル２４に揺動可能に取り付けられている。ハンドルアパーチャ５４が内側ハンドルパネル２４からから切り取られ、フィンガーグリッピングタブ５８がハンドルアパーチャ５４の上方エッジから内方に突き出ている。内側ハンドルパネル２４は外側ハンドルパネル２６に揺動可能に取り付けられ、該外側ハンドルパネル２６は、そのエッジに一体に形成されたフィンガーグリッピングタブ５８を備える。外側ハンドルパネル２６は凹まされて、両方の内側ハンドルパネル２４から切り取られたハンドルアパーチャ５４と、表および後パネル１４、１８から切り取られたものの形状を補完するように形成される。カバー端部フラップ２８はメインパネル２２に揺動可能に取り付けられ、組み立て時にカートン３０に対して構造的な硬さと、さらに審美的な魅力をも提供することができる。
【００２４】
本発明のこの実施形態では、メインパネル２２に１２個のアパーチャ（開口）が提供され、それぞれ瓶の一部分を収容するように縦に３段、横に４列で整列される。筒状のクレートに瓶を収容した後、ブランク２０から形成されたカバーが瓶の首に割り当てつつ組み込まれる。次に、内側ハンドルパネル２４、カバー端部フラップ２８、およびタブ９２は、第１および第２のサイドパネル１２、１６、表および後パネル１４、１８、およびコーナーパネル９０の内側面にそれぞれ固定される。外側ハンドルパネル２６は、第１および第２のサイドパネル１２、１６の外側面に固定できる。このようにして、３層で補強されたハンドル構造がカートン３０の対向する端部に形成され、その層の１つに第１および第２のサイドパネル１２、１６が提供され、また２つの層に内側および外側ハンドルパネル２４、２６が提供される。
【００２５】
ブランク１０と２０から形成されたカートンを図１Ｃに示す。ブランク２０から作られたカバーが筒状のクレートの中に保持された時点で、瓶がカートンの中に保持されていることを見ることができる。瓶へのアクセスは、壊れやすい接続または切れ目３７を分離することによって、簡単に得られる。このようにしてそれぞれの瓶に個々にアクセスすることができるが、その一方でカートンの３０構造的な完全性は保持される。取り除かれない瓶は、カバー内のアパーチャ５６によって所定の位置に保たれる。それによって、カートンは適合性のある運搬コンテナに、瓶にアクセスする時に破壊されない構造的な完全性を提供する。これは空の瓶を便利に返却するためにカートンを再利用することを可能にする。
【００２６】
本発明の他の実施形態では、ブランク２０から形成されたカバーが内側および外側ハンドルパネルを備えないようにすることができ、またブランク１０から形成された筒状のクレートに、のりによって固定しないようにすることができる。筒状のクレートは、品物の除去の際にカバーがカートンから完全に取り除かれることを防止するリテイニングタブ（保持タブ）をさらに有することができる。このようにしてメインパネル２２は、品物の除去に適合するように柔軟にすることができる。ハンドルアパーチャ５４の補強が、筒状のクレートを形成するためのブランク１０に保持されるが、ブランク２０のカバーには保持されない内側のハンドル２４によって提供されうる、ということが想定される。
【００２７】
カートン３０の中に収容された瓶へのアクセスは、カートン３０から瓶を引っ張ることによって達成できる。アパーチャ５６は瓶の首に適合するサイズとされ、瓶の除去はアパーチャ５６のサイズを拡張することによって達成される。これは、瓶がアパーチャを通して引っ張られる時に、短いスリットまたは切れ目３７の間で伝播する分裂によって達成される。短いスリットまたは切れ目３７は分離したグループに整列され、それぞれの短いスリットの分離したグループは、アパーチャ５６の周りに一連の同心円状の短いスリットを有し、少なくともいくつかの、異なった同心位置にある短いスリットは、他の同心位置にあるものに対してオフセットして（ずれて）いる。それぞれのアパーチャ５６の直径は、次第に増大され得るか、またはアパーチャ５６を通して瓶の首を引くことに応じて、そのアパーチャ５６の周囲がメインパネル２２の標準面からずらされる。瓶の除去は実質的にパネルを破ることなく達成される。
【００２８】
１つの同心円の仮想ラインに沿う短いスリット３７は、隣接した同心円の仮想ラインに提供される短いスリット３７からオフセットされうる。この実施形態において、短いスリット３７は、３つの実質的に同心の列に整列された３つまたは５つの短いスリット３７の分離したグループに整列される。１つの列の短いスリット３７の終端は、隣接した列の短いスリット３７終端からオフセットされる。本発明のこの実施形態では、それぞれのアパーチャ５６は、アパーチャ５６のエッジから短いスリットまたは切れ目３７のそれぞれのグループの方に伸びる開始切り込みも有する。
【００２９】
弱められたつながり部分の十分な分離は、カートン３０から瓶を引き出すことによって達成できる。本発明のこの実施形態では、瓶がカートン３０から引き出されるのに従って、発散する分裂がそれぞれの開始切り込みから伝播し、部分的に同心の短いスリット３７の終端によって規定される経路に従うことができる。２つの分裂が開始切り込みからアパーチャ５６に最も近い短いスリット３７まで導かれ、そして最も近い短いスリット３７の終端から外側の次の短いスリット３７のオフセットした終端まで伝播する。その分裂は、１つの短いスリット３７の終端点を次にリンクさせ、アパーチャから一グループの１つの短いスリット３７の終端点により規定される範囲まで外側に伝播する。このようにして、アパーチャ５６のサイズは、瓶が取り除かれるまで継続する分裂の伝播によって次第に増大することができる。
【００３０】
最も外側の仮想的な同心円の切れ目３７は、最大に拡張可能なアパーチャ５６のサイズを規定し、これは、瓶がカートン３０から引き抜くことを可能にするのに十分な大きさとなるよう設計することができる。隣接したアパーチャから瓶を取り除くことによって、１つのアパーチャから伝播する分裂が、１つの隣接したアパーチャから伝播する分裂と交わるようにできる。これにより、アパーチャと切れ目３７がどのように配列され、隣接したアパーチャの分裂が交わらないようなサイズとされることが想定されるとしても、少数の瓶が取り除かれた時点で材料を上部のパネルから取り除くことができ、それゆえ、瓶が取り除かれた際に上部のパネル２２が実質的に完全性を保つようにできる。
【００３１】
本発明の他の実施形態では、短いスリットのそれぞれの分離したグループは、アパーチャから最も遠いスリットがアパーチャに最も近いスリットよりも大きい状態で重なる関係にあるように整列された、２つの短いスリット３７のみを有することができる。２つの短いスリット３７は、一対のその終端がアパーチャから広がる仮想的な放射状ライン上に存在するように、あるいは、一対のその終端がアパーチャから広がる仮想的な接線上に存在するように、すなわち、短いスリット３７の少なくとも一端において、終端が千鳥配置とされ(staggered)、そしてその千鳥配置の端部間を分裂が伝播できるように、配置することができる。
【００３２】
本発明の範囲内では、種々の変更を成すことができる、ということが理解できる。例えば、パネルとアパーチャのサイズと形状を、異なったサイズか形状の品物に適合するように調整することができる。本発明の他の実施形態では、上部のパネル内に形成されたアパーチャを真円でないようにでき、また、瓶の首、またはカートンの中に収容される他の品物の保持を助けるために、アパーチャ内に突出する追加のタブをアパーチャに提供することもできる、ということが想定される。切れ目３７のそれぞれのグループが、５個より多いか、または少ない切れ目を有することができる、ということも想像される。例えば非常に狭い首と大きな底部を持つ形状の品物をカートン内に保持するならば、７個の切れ目でそれぞれのグループを構成でき、それら切れ目を４つのオフセットした列に整列させることができ、そして品物が取り除かれた後には、拡張されたアパーチャの直径は元のアパーチャ５６より実質的により大きくなる、ということが想定される。
【００３３】
ここで使用した「上」、「底」、「前」、「後」、「端」、「側」、「内」、「外」、「上方」、および「下方」のような方向を示す参照用語は、そのような方向にそれぞれのパネルを制限するものではなく、それらのパネルをお互いに区別することを単なる目的としている、ということを理解すべきである。揺動可能に取り付ける関係については、必ずしも１つの折り目ラインだけのことを言っているものと解釈すべきではない。実際に揺動可能に取り付ける関係は、本発明の範囲から逸脱することなく、以下の１つ以上の事項、すなわち、短いスリット、壊れやすいライン、または折り目ラインから形成することができる、ということが想定される。
【図面の簡単な説明】
【００３４】
【図１】本発明の一実施形態によるカートンを形成するためのブランクの第１の部分を示す。
【図２】本発明の一実施形態によるカートンを形成するためのブランクの第２の部分を示す。
【図３】図１と図２のブランクから構築されるカートンの正面、側面、および上面から見た斜視図である。
【符号の説明】
【００３５】
１０  ブランク
１２  第１のサイドパネル
１４  前パネル
１６  第２のサイドパネル
１８  後パネル
２０  ブランク
２２  メインパネル
２４  内側ハンドルパネル
２６  外側ハンドルパネル
２８  カバー端部フラップ
３０  カートン
３７  短いスリット（または切れ目）
４２ａ、４２ｂ、４４ａ、４４ｂ、４６ａ、４６ｂ、４８ａ、４８ｂ  折り目ライン
５４  ハンドルアパーチャ
５６  アパーチャ
５８  フィンガーグリッピングタブ
７２、７４  底面フラップ
７６  上端部フラップ
８８  のり付けフラップ
９０  コーナーパネル
９２  タブ
【図１】
2007532436.tif 000003
【図２】
2007532436.tif 000004
【図３】
2007532436.tif 000005
【手続補正書】
【提出日】平成18年3月22日(2006.3.22)
【手続補正１】
【補正対象書類名】特許請求の範囲
【補正対象項目名】全文
【補正方法】変更
【補正の内容】
【特許請求の範囲】
【請求項１】
上部が開いたコンテナ（１０）の上部を閉じるための上部閉鎖パネル（２０）であって、そのパネルはコンテナ（５６）内部に保持される品物の一部分をそれぞれ受容するために少なくとも１つの開口を持ち、また、そのまたはそれぞれの開口の大きさを拡張するための分裂機構（３７）を持ち、その分裂機構は分割ライン(score line)の少なくとも１つの分離したグループを有し、前記分割ラインが仮想的な放射状ラインに対し実質的に垂直に前記開口から放射状に伸びている上部閉鎖パネルにおいて、前記グループにおける各分割ライン間の関係は、前記開口を介した品物の除去が仮想的な放射状ラインから連続した放射状の分割ライン間に発散して分裂の伝播をもたらすようなものであり、それによって前記開口の大きさを次第に増大させることを特徴とする上部閉鎖パネル。
【請求項２】
前記開口は、前記開口と、そのまたはそれぞれの分割ラインのグループとの間に配置された前記パネルの分裂を開始するための手段を有することを特徴とする請求項１に記載の上部閉鎖パネル。
【請求項３】
前記開始手段は仮想的な放射状ライン上に実質的に配置されたさらなる分割ラインを有することを特徴とする請求項２に記載の上部閉鎖パネル。
【請求項４】
そのまたはそれぞれの分割ラインのグループは少なくとも２つの分割ラインを有し、その状況で、前記開口から最も遠い分割ラインは前記開口に最も近い分割ライン(score line)より長いことを特徴とする請求項１に記載の上部閉鎖パネル。
【請求項５】
分割ラインのそのまたはそれぞれの分離したグループは、前記開口に最も近い分割ラインが前記開口からさらに隔てられた少なくとも２つの分割ラインと重なる関係にあるように、同心円状に整列した５つの分割ラインを有することを特徴とする請求項１から４のいずれか１項に記載の上部閉鎖パネル。
【請求項６】
１つの分割ラインの終端は、隣接した分割ラインの終端から１ｍｍから５ｍｍの範囲で隔てられることを特徴とする請求項１から５のいずれか１項に記載の上部閉鎖パネル。
【請求項７】
前記上部閉鎖パネルが、該上部閉鎖パネルにより提供された保持手段（２８，９２）によって上部開放コンテナから完全に解放されることを防止され、その状況で、前記保持手段（７６）が、保持手段を前記上部開放コンテナ内に補完的に係合するように適合されることを特徴とする請求項１から６のいずれか１項に記載の上部閉鎖パネル。
【請求項８】
前記各分割ラインは実質的に等しい長さものであることを特徴とする請求項１から７のいずれか１項に記載の上部閉鎖パネル。
【請求項９】
前記開口から最も遠い前記分割ラインは、前記開口に最も近い分割ラインより大きいことを特徴とする請求項７に記載の上部閉鎖パネル。
【請求項１０】
上部開放コンテナ（１０）の上部を閉じる上部閉鎖パネル（２０）を形成するための半加工品であって、前記パネルはコンテナ（５６）内部に保持される品物の一部分をそれぞれ受容するために少なくとも１つの開口を持ち、また、そのまたはそれぞれの開口の大きさを拡張するための分裂機構（３７）を持ち、その分裂機構は分割ラインの少なくとも１つの分離したグループを有し、前記分割ラインが仮想的な放射状ラインに対し実質的に垂直に前記開口から放射状に伸びている半加工品において、前記グループにおける分割ライン間の関係は、前記開口を介した品物の除去が仮想的な放射状ラインから連続した放射状の分割ライン間に発散して分裂の伝播をもたらすようなものであり、それによって前記開口の大きさを次第に増大させることを特徴とする半加工品。
【請求項１１】
そのまたはそれぞれの分割ラインのグループは少なくとも２つの分割ラインを有し、その状況で、前記開口から最も遠い前記分割ラインは、前記開口に最も近い分割ラインより長いことを特徴とする請求項１０に記載の上部閉鎖パネルを形成するための半加工品。
【請求項１２】
前記分裂機構は、前記開口のエッジから短いスリットのグループの方に垂直に伸びる開始手段を有することを特徴とする請求項１０または１１に記載の半加工品。
【請求項１３】
請求項１から９のいずれか１項に記載の上部閉鎖パネルを形成するための半加工品。
【請求項１４】
前記分割ラインは、前記開口に最も近い分割ラインの中央に実質的に向かう仮想的な放射状ラインに沿って放射状に伸びることを特徴とする請求項３に記載の上部閉鎖パネル。
【手続補正２】
【補正対象書類名】明細書
【補正対象項目名】０００４
【補正方法】変更
【補正の内容】
【０００４】
また、品物の内容物が消費された後に、リサイクルの場所に空の品物を返すのに使うことのできるカートンを備えることも望ましい。
Dixneufによる特許文献１は、内部の品物の首をすっきりさせるように構成されたカートンを開示している。
Schusterによる特許文献２は、内部の品物の首を保持するように構成された開口（アパーチャ）を有する、巻きつけキャリヤを開示している。
Schusterによる特許文献３は、内部の品物の首の一部を保持する開口から切り取られるタブを備えた開口を有する、巻きつけキャリヤを開示している。
【特許文献１】フランス特許番号第２，７５２，５５９号明細書
【特許文献２】米国特許第４，６４６，９１７号明細書
【特許文献３】米国特許第５，０２２，５２５号明細書
【手続補正３】
【補正対象書類名】明細書
【補正対象項目名】０００６
【補正方法】変更
【補正の内容】
【０００６】
本発明の第１の局面によるのは、上部が開いたコンテナ（１０）の上部を閉じるための上部閉鎖パネル（２０）であって、そのパネルはコンテナ（５６）内部に保持される品物の一部分をそれぞれ受容するために少なくとも１つの開口を持ち、また、そのまたはそれぞれの開口の大きさを拡張するための分裂機構（３７）を持ち、その分裂機構は分割ライン(score line)の少なくとも１つの分離したグループを有し、前記分割ラインが仮想的な放射状ラインに対し実質的に垂直に前記開口から放射状に伸びている上部閉鎖パネルにおいて、前記グループにおける各分割ライン間の関係は、前記開口を介した品物の除去が仮想的な放射状ラインから連続した放射状の分割ライン間に発散して分裂の伝播をもたらすようなものであり、それによって前記開口の大きさを次第に増大させることを特徴とする上部閉鎖パネルである。
【手続補正４】
【補正対象書類名】明細書
【補正対象項目名】０００７
【補正方法】変更
【補正の内容】
【０００７】
好ましくは、前記開口は、該開口とそのまたはそれぞれの分割ラインのグループとの間に配置されたパネルの分裂を開始するための手段を有する。
好ましくは、前記開始手段は、仮想的な放射状ライン上に実質的に配置されたさらなる分割ラインを有する。
好ましくは、そのまたはそれぞれの分割ラインの分離したグループは少なくとも２つの分割ラインを有し、その状況で、開口から最も遠い分割ラインは、開口に最も近い分割ラインより長い。
【手続補正５】
【補正対象書類名】明細書
【補正対象項目名】０００８
【補正方法】変更
【補正の内容】
【０００８】
好ましくは、分割ラインのそのまたはそれぞれの分離したグループは、開口に最も近い分割ラインが開口からさらに隔てられた少なくとも２つの分割ラインと重なる関係にあるように同心円状に配置された、５つの分割ラインを有する。
【手続補正６】
【補正対象書類名】明細書
【補正対象項目名】０００９
【補正方法】変更
【補正の内容】
【０００９】
好ましくは、１つの分割ラインの終端は、隣接した分割ラインの終端から、１ｍｍから５ｍｍの範囲で隔てられる。
【手続補正７】
【補正対象書類名】明細書
【補正対象項目名】００１０
【補正方法】変更
【補正の内容】
【００１０】
さらに上部閉鎖パネルは、上部閉鎖パネルによって提供された保持手段によって上部開放コンテナから完全に解放されることを防止され、その状況で、前記保持手段が、該保持手段を前記上部開放コンテナ内に補完的に係合するように適合される。
【手続補正８】
【補正対象書類名】明細書
【補正対象項目名】００１１
【補正方法】変更
【補正の内容】
【００１１】
好ましくは、分割ラインは、実質的に等しい長さである。
【手続補正９】
【補正対象書類名】明細書
【補正対象項目名】００１２
【補正方法】変更
【補正の内容】
【００１２】
好ましくは、開口から最も遠い分割ラインは、開口に最も近い分割ラインより大きい。
【手続補正１０】
【補正対象書類名】明細書
【補正対象項目名】００１３
【補正方法】変更
【補正の内容】
【００１３】
本発明の第２の局面によるのは、上部開放コンテナ（１０）の上部を閉じる上部閉鎖パネル（２０）を形成するための半加工品であって、前記パネルはコンテナ（５６）内部に保持される品物の一部分をそれぞれ受容するために少なくとも１つの開口を持ち、また、そのまたはそれぞれの開口の大きさを拡張するための分裂機構（３７）を持ち、その分裂機構は分割ラインの少なくとも１つの分離したグループを有し、前記分割ラインが仮想的な放射状ラインに対し実質的に垂直に前記開口から放射状に伸びている半加工品において、前記グループにおける分割ライン間の関係は、前記開口を介した品物の除去が仮想的な放射状ラインから連続した放射状の分割ライン間に発散して分裂の伝播をもたらすようなものであり、それによって前記開口の大きさを次第に増大させることを特徴とする半加工品である。
【手続補正１１】
【補正対象書類名】明細書
【補正対象項目名】００１４
【補正方法】変更
【補正の内容】
【００１４】
好ましくは、そのまたはそれぞれの分割ラインのグループは少なくとも２つの分割ラインを有し、その状況で、開口から最も遠い分割ラインは、開口に最も近い分割ラインより長い。
【手続補正１２】
【補正対象書類名】明細書
【補正対象項目名】００１５
【補正方法】変更
【補正の内容】
【００１５】
好ましくは、分裂機構は、開口のエッジから短いスリットのグループの方に垂直に伸びる開始手段を有することができる。
好ましくは、開始分割ラインは、開口に最も近い分割ラインの中央に実質的に向かう仮想的な放射状ラインに沿って放射状に伸びる。
【手続補正書】
【提出日】平成18年12月14日(2006.12.14)
【手続補正１】
【補正対象書類名】特許請求の範囲
【補正対象項目名】全文
【補正方法】変更
【補正の内容】
【特許請求の範囲】
【請求項１】
上部が開いたコンテナ（１０）の上部を閉じるための上部閉鎖パネル（２０）であって、そのパネルはコンテナ（５６）内部に保持される品物の一部分をそれぞれ受容するために少なくとも１つの開口を持ち、また、そのまたはそれぞれの開口の大きさを拡張するための分裂機構（３７）を持ち、その分裂機構は分割ライン(score line)の少なくとも１つの分離したグループを有し、前記分割ラインが仮想的な放射状ラインに対し実質的に垂直に前記開口から放射状に伸びている上部閉鎖パネルにおいて、前記グループにおける各分割ライン間の関係は、前記開口を介した品物の除去が連続した放射状の分割ライン間に分裂の伝播をもたらし、かつ仮想的な放射状ラインに沿ってまたはそれに対し発散するように前記分裂が伝播するようなものであり、それによって前記開口の大きさを次第に増大させることを特徴とする上部閉鎖パネル。
【請求項２】
前記開口は、前記開口と、そのまたはそれぞれの分割ラインのグループとの間に配置された前記パネルの分裂を開始するための手段を有することを特徴とする請求項１に記載の上部閉鎖パネル。
【請求項３】
前記開始手段は仮想的な放射状ライン上に実質的に配置されたさらなる分割ラインを有することを特徴とする請求項２に記載の上部閉鎖パネル。
【請求項４】
そのまたはそれぞれの分割ラインのグループは少なくとも２つの分割ラインを有し、その状況で、前記開口から最も遠い分割ラインは前記開口に最も近い分割ライン(score line)より長いことを特徴とする請求項１に記載の上部閉鎖パネル。
【請求項５】
分割ラインのそのまたはそれぞれの分離したグループは、前記開口に最も近い分割ラインが前記開口からさらに隔てられた少なくとも２つの分割ラインと重なる関係にあるように、同心円状に整列した５つの分割ラインを有することを特徴とする請求項１から４のいずれか１項に記載の上部閉鎖パネル。
【請求項６】
１つの分割ラインの終端は、隣接した分割ラインの終端から１ｍｍから５ｍｍの範囲で隔てられることを特徴とする請求項１から５のいずれか１項に記載の上部閉鎖パネル。
【請求項７】
前記上部閉鎖パネルが、該上部閉鎖パネルにより提供された保持手段（２８，９２）によって上部開放コンテナから完全に解放されることを防止され、その状況で、前記保持手段（７６）が、保持手段を前記上部開放コンテナ内に補完的に係合するように適合されることを特徴とする請求項１から６のいずれか１項に記載の上部閉鎖パネル。
【請求項８】
前記各分割ラインは実質的に等しい長さものであることを特徴とする請求項１から７のいずれか１項に記載の上部閉鎖パネル。
【請求項９】
前記開口から最も遠い前記分割ラインは、前記開口に最も近い分割ラインより大きいことを特徴とする請求項７に記載の上部閉鎖パネル。
【請求項１０】
上部開放コンテナ（１０）の上部を閉じる上部閉鎖パネル（２０）を形成するための半加工品であって、前記パネルはコンテナ（５６）内部に保持される品物の一部分をそれぞれ受容するために少なくとも１つの開口を持ち、また、そのまたはそれぞれの開口の大きさを拡張するための分裂機構（３７）を持ち、その分裂機構は分割ラインの少なくとも１つの分離したグループを有し、前記分割ラインが仮想的な放射状ラインに対し実質的に垂直に前記開口から放射状に伸びている半加工品において、前記グループにおける分割ライン間の関係は、前記開口を介した品物の除去が連続した放射状の分割ライン間に分裂の伝播をもたらし、かつ仮想的な放射状ラインに沿ってまたはそれに対し発散するように前記分裂が伝播するようなものであり、それによって前記開口の大きさを次第に増大させることを特徴とする半加工品。
【請求項１１】
そのまたはそれぞれの分割ラインのグループは少なくとも２つの分割ラインを有し、その状況で、前記開口から最も遠い前記分割ラインは、前記開口に最も近い分割ラインより長いことを特徴とする請求項１０に記載の上部閉鎖パネルを形成するための半加工品。
【請求項１２】
前記分裂機構は、前記開口のエッジから短いスリットのグループの方に垂直に伸びる開始手段を有することを特徴とする請求項１０または１１に記載の半加工品。
【請求項１３】
請求項１から９のいずれか１項に記載の上部閉鎖パネルを形成するための半加工品。
【請求項１４】
前記分割ラインは、前記開口に最も近い分割ラインの中央に実質的に向かう仮想的な放射状ラインに沿って放射状に伸びることを特徴とする請求項３に記載の上部閉鎖パネル。
【国際調査報告】
2007532436.tif 000006
2007532436.tif 000007